(57)【要約】      （修正有）【課題】廃棄文書の機密保持性及び裁断紙片の古紙としての再利用性を同時に高めた文書裁断装置の提供。【解決手段】廃棄文書２の読み取りを行う読取装置１と、読取装置１が読み取った画像から廃棄文書２の印刷情報を抽出し、抽出した印刷情報から廃棄文書２の裁断条件を判定する裁断判定部と、裁断判定部が判定した裁断条件で廃棄文書２の裁断を行う裁断部と、裁断部で裁断された廃棄文書２の裁断紙片を、廃棄文書２の裁断条件に従って異なる回収容器１１、１２、１３、１４に回収する裁断紙片回収部７、８、９、１０と、を備える文書裁断装置１００。好ましくは白色印刷領域とカラー印刷領域とを抽出した時に廃棄文書２をカラー文書として判定し、カラー文書処理方法をとる文書裁断装置１００。【選択図】図１
2018001126.tif 000002
【特許請求の範囲】
【請求項１】
廃棄文書の読み取りを行う読取装置と、
前記読取装置が読み取った画像から前記廃棄文書の印刷情報を抽出し、抽出した前記印刷情報から前記廃棄文書の裁断条件を判定する裁断判定部と、
前記裁断判定部が判定した前記裁断条件で前記廃棄文書の裁断を行う裁断部と、
前記裁断部で裁断された前記廃棄文書の裁断紙片を、前記廃棄文書の裁断条件に従って異なる回収容器に回収する裁断紙片回収部と、
を備えたことを特徴とする文書裁断装置。
【請求項２】
前記裁断判定部は、前記廃棄文書の画像から前記印刷情報として白黒印刷領域とカラー印刷領域とを抽出したとき、当該廃棄文書の前記裁断条件をカラー紙と判定することを特徴とする請求項１に記載の文書裁断装置。
【請求項３】
前記裁断判定部は、前記廃棄文書の画像から前記印刷情報として白黒印刷領域とカラー印刷領域と空白領域とを抽出したとき、当該廃棄文書中の前記白黒印刷領域についての前記裁断条件をモノクロ紙面と判定し、前記カラー印刷領域についての前記裁断条件をカラー紙と判定し、前記空白領域についての前記裁断条件を白紙面と判定することを特徴とする請求項１に記載の文書裁断装置。
【請求項４】
前記裁断判定部は、前記廃棄文書の画像から前記印刷情報としてカラー写真印刷領域とカラー文字印刷領域とを抽出したとき、当該廃棄文書中の前記カラー写真印刷領域についての前記裁断条件と前記カラー文字印刷領域についての前記裁断条件とに関して、異なる判定を行うことを特徴とする請求項１に記載の文書裁断装置。
【請求項５】
前記裁断部に複数のカットローラを備えると共に、これら複数のカットローラのそれぞれが裁断する紙種又は紙面を変更するための紙種選択部を備えたことを特徴とする請求項１に記載の文書裁断装置。
【請求項６】
前記裁断紙片回収部に複数の前記回収容器を備えると共に、これら複数の回収容器のそれぞれが回収する紙種又は紙面を変更するための容器選択部を備えたことを特徴とする請求項１に記載の文書裁断装置。
【請求項７】
前記回収容器を出し入れする開閉扉に、解錠のスケジュールが管理された開閉錠を備えたことを特徴とする請求項１に記載の文書裁断装置。
【請求項８】
前記裁断部に、ストレートカットローラ及びクロスカットローラを備えたことを特徴とする請求項１に記載の文書裁断装置。
【発明の詳細な説明】
【技術分野】
【０００１】
本発明は、文書裁断装置に関する。
【背景技術】
【０００２】
従来知られている文書裁断装置には、文書裁断装置への廃棄文書の挿入方向に沿って廃棄文書をストレートに裁断するストレートカット方式のものと、文書裁断装置への廃棄文書の挿入方向及びそれとクロスする方向に裁断するクロスカット方式のものとがある。
【０００３】
ストレートカット方式の文書裁断装置は、裁断紙片を古紙として再生利用しやすい反面、廃棄文書の機密保持性は低い。これとは逆に、クロスカット方式の文書裁断装置は、廃棄文書の機密保持性は高いが、裁断紙片を古紙として再生利用することが難しい。
【０００４】
このような問題を解決するため、裁断紙片を古紙として再生利用でき、かつ廃棄文書の機密保持性を高めることができる文書裁断装置として、廃棄文書をストレートカットする裁断機構と、裁断紙片を回収する複数の回収容器と、裁断紙片を廃棄文書のカット方向に直交する任意の間隔毎に異なる回収容器に回収する回収機構と、を備えたものが、従来提案されている（例えば、特許文献１参照）。
【０００５】
従来技術によれば、廃棄文書をストレートカットするので、裁断紙片を古紙として再生利用しやすい。また、従来技術によれば、ストレートカットされた廃棄文書をカット方向に直交する任意の間隔毎に異なる回収容器に回収するので、１枚の廃棄文書の裁断紙片を複数の回収容器に分散させて回収することができ、廃棄文書の機密保持性を高めることができる。
【発明の概要】
【発明が解決しようとする課題】
【０００６】
しかしながら、従来の文書裁断装置は、廃棄文書をストレートカット方式で裁断するので、廃棄（ゴミ出し）する際の時間や場所を回収容器毎に分けるなどの工夫をしないと、裁断紙片を複数の回収容器に分散して回収することの効果が得られず、廃棄文書の機密性を必ずしも確保できない。
【０００７】
また、従来の文書裁断装置は、廃棄文書をストレートカット方式で裁断するが、カラー印刷された廃棄文書の裁断紙片とモノクロ印刷された廃棄文書の裁断紙片とを分別する構成を有していないので、裁断紙片の再生利用を図ることも困難である。
【０００８】
本発明は、このような従来技術の課題を解決するためになされたものであり、廃棄文書の機密保持性及び裁断紙片の古紙としての再利用性を同時に高めることを目的とする。
【課題を解決するための手段】
【０００９】
上記課題を解決するために、本発明の一態様は、廃棄文書の読み取りを行う読取装置と、前記読取装置が読み取った画像から前記廃棄文書の印刷情報を抽出し、抽出した前記印刷情報から前記廃棄文書の裁断条件を判定する裁断判定部と、前記裁断判定部が判定した前記裁断条件で前記廃棄文書の裁断を行う裁断部と、前記裁断部で裁断された前記廃棄文書の裁断紙片を、前記廃棄文書の裁断条件に従って異なる回収容器に回収する裁断紙片回収部と、を備えたことを特徴とする。
【発明の効果】
【００１０】
本発明によれば、廃棄文書の機密保持性及び裁断紙片の古紙としての再利用性が同時に高められる。
【図面の簡単な説明】
【００１１】
【図１】実施形態に係る文書裁断装置のメカニカル構成を示す図である。
【図２】実施形態に係る文書裁断装置のハードウェア構成を示す図である。
【図３】実施形態に係る文書裁断装置が実行する紙種判別の手順を示す図である。
【図４】実施形態に係る文書裁断装置が実行する紙面判別の手順を示す図である。
【図５】実施形態に係る文書裁断装置の表示部に表示される紙種選択画面を示す図である。
【図６】実施形態に係る文書裁断装置の表示部に表示される容器設定画面の第１例を示す図である。
【図７】実施形態に係る文書裁断装置の表示部に表示される容器選択画面を示す図である。
【図８】実施形態に係る文書裁断装置の表示部に表示される容器設定画面の第２例を示す図である。
【図９】実施形態に係る文書裁断装置が実行する紙面判別の手順の他の例を示す図である。
【図１０】実施形態に係る文書裁断装置の表示部に表示される容器設定画面の第３例を示す図である。
【図１１】実施形態に係る文書裁断装置の外観図である。
【図１２】実施形態に係る文書裁断装置の表示部に表示される容器設定画面の第４例を示す図である。
【発明を実施するための形態】
【００１２】
以下、図を用いて本発明に係る文書裁断装置の実施形態を説明する。本発明に係る文書裁断装置は、スキャナ等の読取装置を用いて裁断する廃棄文書の印刷面を読み取り、読み取った画像から廃棄文書の印刷情報を抽出し、抽出された印刷情報に基づいて廃棄文書の裁断条件を判定し、裁断条件の判定結果に基づいて裁断方式の選択と裁断紙片を収容する回収容器の選択とを行うことを特徴とする。裁断方式については、ストレートカット又はクロスカットを選択できる。
【００１３】
なお、裁断条件の判定は、廃棄文書単位（１枚単位）で行うこともできるし、１枚の廃棄文書中の印刷領域単位で行うこともできる。裁断条件の判定を廃棄文書単位で行う場合は、文書裁断装置に挿入された廃棄文書を、モノクロ紙、カラー紙及び白紙のいずれか１つの紙種として判定する。また、裁断条件の判定を１枚の廃棄文書中の印刷領域単位で行う場合は、文書裁断装置に挿入された廃棄文書の各印刷領域を、モノクロ紙面、カラー紙面及び白紙面のいずれか１つの紙面として判定する。
【００１４】
図１に示すように、実施形態に係る文書裁断装置１００は、ＤＦ（Ｄｏｃｕｍｅｎｔ  Ｆｅｅｄｅｒ）方式の読取装置１と、読取装置１による廃棄文書２の搬送経路に沿って配列された複数（図１の例では４個）のカットローラ３、４、５、６及び回収ローラ７、８、９、１０と、カットローラ３、４、５、６及び回収ローラ７、８、９、１０の下方に配置された複数（図１の例では４個）の回収容器１１、１２、１３、１４と、読取装置１により読み取られた画像に基づいてカットローラ３、４、５、６及び回収ローラ７、８、９、１０の駆動を制御する制御装置１５とを備えている。カットローラ３、４、５、６としては、ストレートカットローラ又はクロスカットローラのいずれかを用いることができる。
【００１５】
カットローラ３、４、５、６は、実施形態に係る文書裁断装置１００の裁断部を構成する。また、回収ローラ７、８、９、１０は、実施形態に係る文書裁断装置１００の裁断紙片回収部を構成する。更に、制御装置１５は、実施形態に係る文書裁断装置１００の裁断判定部を構成する。
【００１６】
実施形態に係る文書裁断装置１００は、カットローラ３及び回収ローラ７がモノクロ紙又はモノクロ紙面を裁断するローラ対として初期設定され、カットローラ４及び回収ローラ８がカラー紙又はカラー紙面を裁断するローラ対として初期設定され、カットローラ５及び回収ローラ９が白紙又は白紙面を裁断するローラ対として初期設定されているものとする。また、カットローラ６及び回収ローラ１０は、特定の紙種又は紙面を裁断するローラ対として初期設定されていないものとする。
【００１７】
読取装置１は、廃棄文書２の挿入口２１と、挿入口２１の近傍に備えられた引き込みローラ２２と、予め設定された廃棄文書２の搬送経路に沿って配列された複数（図１の例では４個）の搬送ローラ２３、２４、２５、２６と、引き込みローラ２２と搬送ローラ２３との間に配置された読取センサ２７とから構成されている。印刷面を上向きにして挿入口２１に挿入された廃棄文書２は、引き込みローラ２２により機内に引き込まれて表裏反転され、廃棄文書２の搬送経路の下方に配置された読取センサ２７によって印刷面が読み取られた後、搬送ローラ２３、２４、２５、２６によって読取装置１の奥側に搬送される。
【００１８】
カットローラ３、４、５、６及び回収ローラ７、８、９、１０は、それぞれ昇降機構２８に個別に取り付けられており、所定の印刷が施された廃棄文書２が搬送経路に沿って搬送されるまでは、搬送ローラ２３、２４、２５、２６から離隔した位置に降下している。そして、所定の紙種又は紙面が所定のカットローラ３、４、５、６及び回収ローラ７、８、９、１０の設定位置まで搬送されたときに、所定のカットローラ３、４、５、６及び回収ローラ７、８、９、１０が選択的に上昇し、廃棄文書２の裁断と回収とを行う。裁断紙片は、廃棄文書２を裁断したカットローラ３、４、５、６及び回収ローラ７、８、９、１０に対応する回収容器１１、１２、１３、１４に回収される。
【００１９】
図１の例では、カットローラ４及び回収ローラ８が選択的に上昇して廃棄文書２を裁断し、この裁断紙片を回収容器１３で回収している状態を示している。
【００２０】
実施形態に係る文書裁断装置１００には、図１１に示すように、回収容器１１、１２、１３、１４の収納部の前面に開閉扉１１ａ、１２ａ、１３ａ、１４ａが備えられている。また、各開閉扉１１ａ、１２ａ、１３ａ、１４ａには、開閉錠１１ｂ、１２ｂ、１３ｂ、１４ｂが備えられている。従って、実施形態に係る文書裁断装置１００は、開閉錠１１ｂ、１２ｂ、１３ｂ、１４ｂの開閉スケジュールを管理することにより、裁断紙片の廃棄を回収容器１１、１２、１３、１４ごとに管理できる。これについては、後に図１２を用いて詳細に説明する。
【００２１】
制御装置１５は、図２に示すように、読取条件の設定、裁断条件の設定及び機器の設定等を行う操作部３１と、操作パネル等を表示する表示部３２と、裁断される廃棄文書２の読み取りを行う読取装置１と、読取装置１により読み取られた画像から印刷情報を抽出し、抽出された印刷情報から裁断条件を判定する画像処理部３３と、画像処理部３３による裁断条件の判定結果に基づいてカットローラ３、４、５、６、回収ローラ７、８、９、１０及び昇降機構２８を駆動する裁断装置３４とを含んで構成されている。画像処理部３３は、実施形態に係る文書裁断装置１００の裁断判定部を構成する。
【００２２】
また、制御装置１５には、上述した各ハードウェア資源を制御するＣＰＵ（ＣｅｎｔｒａｌＰｒｏｃｅｓｓｉｎｇ Ｕｎｉｔ）３５と、ＲＡＭ（ＲａｎｄｏｍＡｃｃｅｓｓ Ｍｅｍｏｒｙ）３６とが備えられている。これらの各ハードウェア資源は、バス３７を介して相互に接続される。
【００２３】
次に、図３を用いて、実施形態に係る文書裁断装置１００が実行する紙種判別の手順を説明する。
【００２４】
図３の紙種判別は、図３（ａ）に示す読取装置１（読取センサ２７）の読み取り画像について像域分離処理を行い、図３（ｂ）に示すように、印刷情報として、空白領域、白黒写真領域、白黒文字領域、カラー文字領域、カラー写真領域を抽出する。そして、本例においては、カラー文字領域及びカラー写真領域を有することから、文書裁断装置に挿入された廃棄文書２をカラー紙と判定する。なお、廃棄文書２の印刷状態に応じた裁断条件の判定は、各自治体や処理業者の裁断紙片に対する条件に応じて変更することができる。
【００２５】
カラー紙であると裁断条件が判定された廃棄文書２は、図１に示したカットローラ４及び回収ローラ８により裁断される。カットローラ４及び回収ローラ８により裁断された裁断紙片は、回収容器１２内に落下する。これにより、紙種に応じた裁断紙片の分別を行うことができ、古紙としての再生利用を効率的に行うことができる。
【００２６】
次に、図４を用いて、実施形態に係る文書裁断装置１００が実行する紙面判別の手順を説明する。
【００２７】
図４の紙面判別は、図４（ａ）に示す読取装置１（読取センサ２７）の読み取り画像について像域分離処理を行い、図４（ｂ）に示すように、印刷情報として、白黒文字領域、空白領域、カラー写真領域を抽出する。そして、本例においては、１枚の廃棄文書２の各印刷領域が、廃棄文書算段装置の挿入側から順に、モノクロ紙面、白紙面、カラー紙面、白紙面と裁断判定される。
【００２８】
文書裁断装置に挿入された廃棄文書２は、モノクロ紙面がカットローラ３及び回収ローラ７により裁断され、その裁断紙片が回収容器１１内に落下する。白紙面は、カットローラ５及び回収ローラ９により切断され、その裁断紙片は回収容器１３内に落下する。カラー紙面は、カットローラ４及び回収ローラ８により裁断され、その裁断紙片は回収容器１２内に落下する。これにより、１枚の廃棄文書２中の印刷領域毎に裁断紙片の分別を行うことができるので、各廃棄文書単位で裁断紙片の分別を行う場合に比べて、古紙としての再生利用をより効率的に行うことができる。
【００２９】
次に、図５及び図６を用いて、実施形態に係る文書裁断装置１００が実行する容器設定の第１例を説明する。図５に示すように、文書裁断装置１００の表示部３２には、スタートボタン４１、ストップボタン４２及び紙種選択欄４３を含む初期画面５１が表示され、紙種選択欄４３には、自動選択ボタン４３ａ、モノクロ紙選択ボタン４３ｂ及びカラー紙選択ボタン４３ｃが表示されている。
【００３０】
スタートボタン４１は文書裁断装置１００の起動ボタンであり、ストップボタン４２は文書裁断装置１００の停止ボタンである。
【００３１】
これに対して、紙種選択欄４３に表示されたモノクロ紙選択ボタン４３ｂ及びカラー紙選択ボタン４３ｃは、ユーザが紙種又は紙面に応じた裁断紙片の回収容器を設定するためのボタンである。即ち、ユーザは、紙種選択欄４３に表示されたモノクロ紙選択ボタン４３ｂ又はカラー紙選択ボタン４３ｃを操作することにより、以下の手順で回収容器の選択と設定とを行うことができる。
【００３２】
まず、ユーザが紙種選択欄４３に表示されたモノクロ紙選択ボタン４３ｂを操作すると、表示部３２には、図６に示す容器設定画面５２が表示される。
【００３３】
図６の容器設定画面５２は、実施形態に係る文書裁断装置１００に初期設定されたものであり、モノクロ紙については容器１（回収容器１１）が設定され、カラー紙については容器２（回収容器１２）が設定され、白紙については容器３（回収容器１３）が設定されている。また、設定なしの欄に対応して容器４（回収容器１４）が設定されている。本実施形態において、「設定なし」とは、容器４（回収容器１４）内にいかなる裁断紙片も回収させない設定であることを意味している。
【００３４】
そこで、ユーザが図６の容器設定画面５２に表示された「モノクロ紙」を操作すると、図６の容器設定画面５２上に「容器１」、「容器２」、「容器３」、「容器４」の各表示がプルダウン表示される。従って、ユーザは、プルダウン表示された「容器２」、「容器３」、「容器４」のいずれかを選択することにより、「モノクロ紙」に対応する回収容器を容器１（回収容器１１）から他の回収容器に変更できる。
【００３５】
同様に、紙種選択欄４３に表示されたカラー紙選択ボタン４３ｃを操作すると、表示部３２に図６に示す容器設定画面５２が表示されるので、ユーザは「カラー紙」に対応する回収容器を容器２（回収容器１２）から他の回収容器に変更できる。従って、容器設定画面５２は、実施形態に係る文書裁断装置１００の紙種選択部を構成する。
【００３６】
このように、ユーザにより回収容器１１、１２、１３、１４の選択と設定とを行えるようにすると、ユーザは廃棄文書２の紙種又は紙面に応じて最適な回収容器１１、１２、１３、１４を自在に選択できるので、紙種毎又は紙面毎の廃棄文書２の分別を確実に行うことができる。
【００３７】
また、紙種選択欄４３に表示された自動選択ボタン４３ａを操作した場合には、表示部３２に図６に示す容器設定画面５２が表示されるので、ユーザは回収容器１１、１２、１３、１４の設定状況を確認することができる。
【００３８】
次に、図７及び図８を用いて、実施形態に係る文書裁断装置１００が実行する容器設定の第２例を説明する。図７に示すように、文書裁断装置１００の表示部３２には、スタートボタン６１、ストップボタン６２及び容器選択欄６３を含む初期画面５３が表示され、容器選択欄６３には、自動選択ボタン６３ａ、回収容器１１を選択するための「１」ボタン６３ｂ、回収容器１２を選択するための「２」ボタン６３ｃ、回収容器１３を選択するための「３」ボタン６３ｄ及び回収容器１４を選択するための「４」ボタン６３ｅが表示されている。
【００３９】
スタートボタン６１は文書裁断装置１００の起動ボタンであり、ストップボタン６２は文書裁断装置１００の停止ボタンである。
【００４０】
これに対して、容器選択欄６３に表示された「１」ボタン６３ｂ、「２」ボタン６３ｃ、「３」ボタン６３ｄ及び「４」ボタン６３ｅは、ユーザが回収容器１１、１２、１３、１４に応じた紙種又は紙面を設定するためのボタンである。即ち、ユーザは、容器選択欄６３に表示された「１」ボタン６３ｂ、「２」ボタン６３ｃ、「３」ボタン６３ｄ及び「４」ボタン６３ｅを操作することにより、以下の手順で紙種又は紙面の選択と設定とを行うことができる。
【００４１】
まず、ユーザが容器選択欄６３に表示された「１」ボタン６３ｂを操作すると、表示部３２に図８に示す容器設定画面５４が表示される。
【００４２】
図８に示す容器設定画面５４は、実施形態に係る文書裁断装置１００に初期設定されたものであり、容器１（回収容器１１）についてはモノクロ紙が設定され、容器２（回収容器１２）についてはカラー紙が設定され、容器３（回収容器１３）については白紙が設定されている。また、容器４（回収容器１４）については設定なしが表示されている。本実施形態において、「設定なし」とは、容器４（回収容器１４）内にいかなる裁断紙片も回収させない設定であることを意味している。
【００４３】
そこで、ユーザが図８の容器設定画面５４に表示された「モノクロ紙」を操作すると、図８の容器設定画面５４上に「カラー紙」、「白紙」、「設定なし」の各表示がプルダウン表示される。従って、ユーザは、プルダウン表示された「カラー紙」、「白紙」、「設定なし」のいずれかを選択することにより、容器４（回収容器１４）に回収する紙種又は紙面を、「モノクロ紙」から他の紙種又は紙面に変更できる。
【００４４】
ユーザが容器選択欄６３に表示された他のボタン６３ｃ、６３ｄ、６３ｅを操作した場合にも、同様の方法で、回収容器１１、１２、１３、１４に対する紙種又は紙面の変更を行うことができる。従って、容器設定画面５４は、実施形態に係る文書裁断装置１００の容器選択部を構成する。
【００４５】
この方法によっても、ユーザは廃棄文書２の紙種又は紙面に応じた最適な回収容器１１、１２、１３、１４を自在に選択できるので、紙種毎又は紙面毎の廃棄文書２の分別を確実に行うことができる。
【００４６】
また、ユーザが容器選択欄６３に表示された自動選択ボタン６３ａを操作した場合には、表示部３２に図８に示す容器設定画面５２が表示されるので、ユーザは回収容器１１、１２、１３、１４に対する紙種又は紙面の設定状況を確認することができる。
【００４７】
次に、図９及び図１０を用いて、実施形態に係る文書裁断装置１００が実行する容器設定の第３例を説明する。本例の容器設定方法は、紙種又は紙面をモノクロ紙、カラー紙、白紙に分類するだけでなく、カラー紙をカラー写真が印刷されたものとカラー文字が印刷されたものとに分類した場合に対応して、容器設定を行えるようにしたものである。
【００４８】
即ち、本例の容器設定方法は、廃棄文書の裁断判定を行う際、図９に示すように、読取装置１（読取センサ２７）の読み取り画像を像域分離処理して、廃棄文書２の印刷領域を白黒文字が印刷されたモノクロ紙、空白部分である白紙、カラー写真が印刷されたカラー紙（１）、カラー文字が印刷されたカラー紙（２）に分類する。
【００４９】
そして、本例の容器設定方式は、図７に示した初期画面５３中の「１」ボタン６３ｂを操作すると、表示部３２に図１０に示す容器設定画面５５を表示する。図１０に示す容器設定画面５５には、実施形態に係る文書裁断装置１００に初期設定されたものであり、容器１（回収容器１１）についてはモノクロ紙が設定され、容器２（回収容器１２）についてはカラー紙（１）が設定され、容器３（回収容器１３）についてはカラー紙（２）が設定され、容器４（回収容器１４）については白紙が設定されている。
【００５０】
本例においても、容器設定の第２例で説明したと同様の方法で、回収容器１１、１２、１３、１４に対する紙種又は紙面の変更を行うことができる。
【００５１】
本例の容器設定方法によれば、異なる回収容器にカラー写真領域の裁断紙片とカラー文字領域の裁断紙片とを分けて回収できるので、廃棄文書２の再生利用をより効率よく行うことができる。
【００５２】
次に、図１１及び図１２を用いて、回収容器１１、１２、１３、１４毎に分別された裁断紙片の廃棄（ゴミ出し）管理について説明する。
【００５３】
実施形態に係る文書裁断装置１００には、図１１に示すように、開閉扉１１ａ、１２ａ、１３ａ、１４ａと、開閉錠１１ｂ、１２ｂ、１３ｂ、１４ｂと、が備えられている。開閉錠１１ｂ、１２ｂ、１３ｂ、１４ｂとしては、電子制御式の所謂電子錠が備えられる。また、文書裁断装置１００の表示部３２には、図１２に示すように、回収容器１１、１２、１３、１４に回収された裁断紙片を廃棄（ゴミ出し）する日時を示す容器設定画面５６が表示されている。
【００５４】
図１２の例では、容器１（回収容器１１）に回収された裁断紙片については、火曜日の９時から１２時の間だけ開閉錠１１ｂが開錠されるように、裁断紙片の廃棄（ゴミ出し）スケジュールが管理されている。また、容器２（回収容器１２）に回収された裁断紙片については、水曜日の９時から１２時の間だけ開閉錠１１ｂが開錠されるように、裁断紙片の廃棄（ゴミ出し）スケジュールが管理されている。
【００５５】
更に、容器３（回収容器１３）に回収された裁断紙片については、月曜日と木曜日の９時から１２時の間だけ開閉錠１１ｂが開錠されるように、裁断紙片の廃棄（ゴミ出し）スケジュールが管理されている。また、容器４（回収容器１４）に回収された裁断紙片については、金曜日の１３時から１５時の間だけ開閉錠１１ｂが開錠されるように、裁断紙片の廃棄（ゴミ出し）スケジュールが管理されている。
【００５６】
従って、実施形態に係る文書裁断装置１００は、回収容器１１、１２、１３、１４に回収された裁断紙片を異なる曜日の異なる時間帯に廃棄（ゴミ出し）することが可能になり、廃棄する廃棄文書２の機密保持性を高めることができる。
【００５７】
容器設定画面５６に表示される廃棄（ゴミ出し）スケジュールは、実施形態に係る文書裁断装置１００に備えられた操作部３１を操作することによって、適宜変更できる。
【符号の説明】
【００５８】
１    読取装置
２    廃棄文書
３、４、５、６    カットローラ
７、８、９、１０    回収ローラ
１１、１２、１３、１４    回収容器
１１ａ、１２ａ、１３ａ、１４ａ    開閉扉
２１    挿入口
２２    引き込みローラ
２３、２４、２５、２６    搬送ローラ
２７    読取センサ
２８    昇降機構
３１    操作部
３２    表示部
３３    画像処理部
３４    裁断装置４４
３５    ＣＰＵ
３６    ＲＡＭ
４１    スタートボタン
４２    ストップボタン
４３    紙種選択欄
４３ａ    自動選択ボタン
４３ｂ    モノクロ紙選択ボタン
４３ｃ    カラー紙選択ボタン
５１    初期画面
５２    容器設定画面
５３    初期画面
５４    容器設定画面
５５    容器設定画面
５６    容器設定画面
６１    スタートボタン
６２    ストップボタン
６３    容器選択欄
６３ａ    自動選択ボタン
６３ｂ    「１」ボタン
６３ｃ    「２」ボタン
６３ｄ    「３」ボタン
６３ｅ    「４」ボタン
１００    文書裁断装置
【先行技術文献】
【特許文献】
【００５９】
【特許文献１】特開２００８−２４６３７９号公報
【図１】
2018001126.tif 000003
【図２】
2018001126.tif 000004
【図３】
2018001126.tif 000005
【図４】
2018001126.tif 000006
【図５】
2018001126.tif 000007
【図６】
2018001126.tif 000008
【図７】
2018001126.tif 000009
【図８】
2018001126.tif 000010
【図９】
2018001126.tif 000011
【図１０】
2018001126.tif 000012
【図１１】
2018001126.tif 000013
【図１２】
2018001126.tif 000014